(57)【要約】【課題】予めインク吸収特性についての情報の記録されていない記録媒体についても、インク吸収特性に応じたインク打ち込み量によって記録を行うことが可能なインクジェット記録装置及び記録方法を提供することを目的とする。【解決手段】インクジェット記録装置は、第１の回数の前記記録ヘッドの走査によって記録媒体に形成された第１の画像について、第１の画像濃度を検出する。また、第１の回数よりも大きな第２の回数の記録ヘッドの走査によって、第１の画像を形成する際と同一の単位面積当たりのインク打ち込み量によって記録媒体に形成された第２の画像について、第２の画像濃度を検出する。そして、第１の画像濃度と第２の画像濃度との間の濃度差を検出し、濃度差に基づいて記録媒体へのインクの浸透性を判断する。【選択図】図６
2014141026.tif 000002
【特許請求の範囲】
【請求項１】
インクを吐出して記録を行う記録ヘッドと、
前記記録ヘッドを主走査方向に往復移動させることで前記記録ヘッドに走査を行わせることが可能な記録ヘッド移動手段と、
前記記録ヘッドによってインクが吐出されて形成された画像の濃度を検出する濃度検出手段と、
第１の回数の前記記録ヘッドの走査によって記録媒体に形成された第１の画像について、前記濃度検出手段によって濃度を検出された第１の画像濃度と、前記第１の回数よりも大きな第２の回数の前記記録ヘッドの走査によって、前記第１の画像を形成する際と同一の単位面積当たりのインク打ち込み量によって前記記録媒体に形成された第２の画像について、前記濃度検出手段によって濃度を検出された第２の画像濃度と、の間の濃度差を検出し、前記濃度差に基づいて前記記録媒体へのインクの浸透性を判断する浸透性判断手段と
を有することを特徴とするインクジェット記録装置。
【請求項２】
前記浸透性判断手段は、前記濃度差が第１の閾値よりも大きいときには、記録媒体はインクによる浸透性の大きい高浸透性の記録媒体であると判断し、前記濃度差が前記第１の閾値以下であるときには、記録媒体はインクによる浸透性の小さい低浸透性の記録媒体であると判断することを特徴とする請求項１に記載のインクジェット記録装置。
【請求項３】
前記記録ヘッドによってインクを吐出して画像を形成する際の単位面積当たりのインク打ち込み量を制御するインク打ち込み量制御手段を有することを特徴とする請求項２に記載のインクジェット記録装置。
【請求項４】
前記インク打ち込み量制御手段は、前記浸透性判断手段によって記録媒体が高浸透性の記録媒体であると判断された場合には、単位面積当たりのインク打ち込み量が第２の閾値よりも低くなるように、インク打ち込み量を制御することを特徴とする請求項３に記載のインクジェット記録装置。
【請求項５】
前記インク打ち込み量制御手段は、前記浸透性判断手段によって記録媒体が低浸透性の記録媒体であると判断された場合には、単位面積当たりのインク打ち込み量が第３の閾値よりも高くなるように、インク打ち込み量を制御することを特徴とする請求項３に記載のインクジェット記録装置。
【請求項６】
前記記録ヘッドによってインクが吐出されて形成された画像について、複数の領域で前記濃度検出手段によって濃度が検出され、前記複数の領域で検出された複数の濃度についてのばらつきを検出するばらつき検出手段と、
前記ばらつき検出手段によって検出された濃度のばらつきに基づいて、画像に濃度ムラが生じているかどうかを判断する濃度ムラ判断手段と
を有することを特徴とする請求項１から５のいずれか１項に記載のインクジェット記録装置。
【請求項７】
前記濃度ムラ判断手段は、前記濃度のばらつきが、第４の閾値よりも大きければ濃度ムラが生じていると判断することを特徴とする請求項６に記載のインクジェット記録装置。
【請求項８】
前記濃度差が第１の閾値よりも大きいときには、記録媒体はインクによる浸透性の大きい高浸透性の記録媒体であると判断し、前記濃度差が前記第１の閾値以下であるときには、記録媒体はインクによる浸透性の小さい低浸透性の記録媒体であると判断する浸透性判断手段と、
前記記録ヘッドによってインクを吐出して画像を形成する際の単位面積当たりのインク打ち込み量を制御するインク打ち込み量制御手段とを有し、
前記記録ヘッドによってインクが吐出されて形成された画像について、前記濃度ムラ判断手段によって画像に濃度ムラが生じていると判断され、前記浸透性判断手段によって記録媒体が高浸透性の記録媒体であると判断された場合には、前記インク打ち込み量制御手段は、単位面積当たりのインク打ち込み量が第２の閾値よりも低くなるように、インク打ち込み量を制御することを特徴とする請求項６または７に記載のインクジェット記録装置。
【請求項９】
前記濃度差が第１の閾値よりも大きいときには、記録媒体はインクによる浸透性の大きい高浸透性の記録媒体であると判断し、前記濃度差が前記第１の閾値以下であるときには、記録媒体はインクによる浸透性の小さい低浸透性の記録媒体であると判断する浸透性判断手段と、
前記記録ヘッドによってインクを吐出して画像を形成する際の単位面積当たりのインク打ち込み量を制御するインク打ち込み量制御手段とを有し、
前記記録ヘッドによってインクが吐出されて形成された画像について、前記濃度ムラ判断手段によって画像に濃度ムラが生じていると判断され、前記浸透性判断手段によって記録媒体が低浸透性の記録媒体であると判断された場合には、前記インク打ち込み量制御手段は、単位面積当たりのインク打ち込み量が第３の閾値よりも高くなるように、インク打ち込み量を制御することを特徴とする請求項６または７に記載のインクジェット記録装置。
【請求項１０】
前記第１の回数は、１回であることを特徴とする請求項１から９のいずれか１項に記載のインクジェット記録装置。
【請求項１１】
インクを吐出して記録を行う記録ヘッドと、前記記録ヘッドを主走査方向に往復移動させることで前記記録ヘッドに走査を行わせることが可能な記録ヘッド移動手段と、前記記録ヘッドによってインクが吐出されて形成された画像の濃度を検出する濃度検出手段とを有するインクジェット記録装置によって記録を行う記録方法であって、
第１の回数の前記記録ヘッドの走査によって記録媒体に第１の画像を形成し、前記第１の画像についての濃度を前記濃度検出手段によって検出する第１の画像濃度検出工程と、
前記第１の回数よりも大きな第２の回数の前記記録ヘッドの走査によって、前記第１の画像を形成する際と同一の単位面積当たりのインク打ち込み量によって前記記録媒体に第２の画像を形成し、前記第２の画像についての濃度を前記濃度検出手段によって検出する第２の画像濃度検出工程と、
前記第１の画像濃度検出工程で検出された前記第１の画像の濃度と、前記第２の画像濃度検出工程で検出された前記第２の画像の濃度との間の濃度差を検出する濃度差検出工程と、
前記濃度差検出工程で検出された前記濃度差に基づいて前記記録媒体へのインクの浸透性を判断する浸透性判断工程と、
前記浸透性判断工程で判断された前記記録媒体へのインクの浸透性に基づいて、前記記録ヘッドによってインクを吐出して画像を形成する際の単位面積当たりのインク打ち込み量を制御するインク打ち込み量制御工程と
を有することを特徴とする記録方法。
【発明の詳細な説明】
【技術分野】
【０００１】
本発明は、記録媒体への浸透性の異なる複数種類のインクを吐出して記録を行うインクジェット記録装置及び記録方法に関する。
【背景技術】
【０００２】
インクジェット記録装置は、記録ヘッドから記録媒体にインク滴を吐出させて記録を行う。記録媒体としては、写真、ポスター、ＣＡＤ図面など、様々な種類のものが用いられている。
【０００３】
インクジェット記録装置により記録を行う際には、単位面積当たりのインクの打ち込み量を、記録媒体の吸収できるインク付与量（以下、インク打ち込み量ともいう）の許容量（以下、最大インク打ち込み量ともいう）以下にすることが望ましい。記録媒体に対して、その記録媒体の最大インク打ち込み量を超えるインクの打ち込み量によって記録が行われると、記録画像の細線や文字、図形の境界部ににじみが発生する可能性がある。また、吸収しきれないインクが記録媒体上で接触して連なるビーディング現象を発生して画像ムラを生じる原因となる可能性がある。
【０００４】
そのため、記録媒体の吸収できるインク付与量に応じて記録が行われる技術が提案されている。記録媒体の吸収できるインク付与量に応じて記録が行われるインクジェット記録装置について、特許文献１に開示されている。
【先行技術文献】
【特許文献】
【０００５】
【特許文献１】特開２００２−３３７３２２号公報
【発明の概要】
【発明が解決しようとする課題】
【０００６】
特許文献１に開示されたインクジェット記録装置は、予めインク吸収特性についての情報が記録された記録媒体のインク吸収特性を読み取り、読み取ったインク吸収特性に応じたインク打ち込み量によって記録を行っている。
【０００７】
しかしながら、特許文献１に開示されたインクジェット記録装置では、予めインク吸収特性についての情報の記録されていない記録媒体については、その記録媒体についてのインク吸収特性を認識することができず、インク打ち込み量を決定することができない。従って、条件によっては、最大インク打ち込み量を超えるインクの打ち込み量によって記録が行われる可能性があり、これによって記録画像の品質が低下する可能性がある。
【０００８】
そこで、本発明は上記の事情に鑑み、予めインク吸収特性についての情報の記録されていない記録媒体についても、インク吸収特性に応じたインク打ち込み量によって記録を行うことが可能なインクジェット記録装置及び記録方法を提供することを目的とする。
【課題を解決するための手段】
【０００９】
本発明のインクジェット記録装置は、インクを吐出して記録を行う記録ヘッドと、前記記録ヘッドを主走査方向に往復移動させることで前記記録ヘッドに走査を行わせることが可能な記録ヘッド移動手段と、前記記録ヘッドによってインクが吐出されて形成された画像の濃度を検出する濃度検出手段と、第１の回数の前記記録ヘッドの走査によって記録媒体に形成された第１の画像について、前記濃度検出手段によって濃度を検出された第１の画像濃度と、前記第１の回数よりも大きな第２の回数の前記記録ヘッドの走査によって、前記第１の画像を形成する際と同一の単位面積当たりのインク打ち込み量によって前記記録媒体に形成された第２の画像について、前記濃度検出手段によって濃度を検出された第２の画像濃度と、の間の濃度差を検出し、前記濃度差に基づいて前記記録媒体へのインクの浸透性を判断する浸透性判断手段とを有することを特徴とする。
【発明の効果】
【００１０】
本発明によれば、記録媒体ごとにインクの浸透性を検出することができるので、インクの浸透性に応じたインク付与量によって記録を行うことができる。そのため、記録画像に濃度ムラが生じることが抑えられ、記録画像の品質を向上させることができる。
【図面の簡単な説明】
【００１１】
【図１】本発明の第１実施形態に係るインクジェット記録装置の要部について模式的に示した斜視図である。
【図２】図１のインクジェット記録装置の制御系の構成について示したブロック図である。
【図３】（ａ）は高浸透性の記録媒体に対して記録を行う際のインク及び記録媒体について示した断面図であり、（ｂ）は低浸透性の記録媒体に対して記録を行う際のインク及び記録媒体について示した断面図である。
【図４】低浸透性の記録媒体に対して記録を行う際に生じる濃度ムラ及び濃度ムラの発生を抑制するための高い記録デューティによる記録について示したインク及び記録媒体についての断面図である。
【図５】高浸透性の記録媒体に対して記録を行う際に生じる濃度ムラ及び濃度ムラの発生を抑制するための低い記録デューティによる記録について示したインク及び記録媒体についての断面図である。
【図６】図１のインクジェット記録装置によって記録動作が行われる際の制御フローについて示したフローチャートである。
【図７】本発明の第２実施形態に係る記録動作によって記録が行われる際の制御フローについて示したフローチャートである。
【発明を実施するための形態】
【００１２】
以下、図面を参照して本発明の実施形態についての説明を行う。  
【００１３】
（第１実施形態）
図１は、本実施形態のインクジェット記録装置２００の要部について示した模式的な斜視図である。
【００１４】
記録ヘッド５は、配列された複数の吐出口から記録媒体１に対してインクを吐出することにより画像を記録する。記録ヘッド５は、ブラック１（Ｂｋ１）、ブラック２（Ｂｋ２）、ブラック３（Ｂｋ３）、マゼンタ（Ｍ）、イエロー（Ｙ）、シアン（Ｃ）、のカラーインクをそれぞれ吐出する６つの記録ヘッド５Ｂｋ１、５Ｂｋ２、５Ｂｋ３、５Ｍ、５Ｙ、５Ｃを有する。記録ヘッド５Ｂｋ１、５Ｂｋ２、５Ｂｋ３、５Ｍ、５Ｙ、５Ｃのそれぞれには、１２００ｄｐｉの密度で１２８０個の吐出口（ノズルとも称する）が配列されている。各吐出口から１度に吐出されるインク滴のインク量は、約４ｎｇである。
【００１５】
記録ヘッド５Ｂｋ１から吐出されるブラック１（Ｂｋ１）のインクは、キヤノン製顔料インクＰＦＩ−１０１を用い、市販の界面活性剤によって表面張力が調節され、記録媒体への浸透性が低浸透となるように調整されたインクである。記録ヘッド５Ｂｋ２、５Ｂｋ３から吐出されるブラック２（Ｂｋ２）及びブラック３（Ｂｋ３）のインクは、ブラック１のインクと同様に調整されたインクであるが、界面活性剤によって記録媒体への浸透性が高浸透となるように調整されたインクである。
【００１６】
ここで言うインクの記録媒体への浸透性は、インクの表面張力（ｍＮ/ｍ）によって決まり、表面張力が低い程インクの記録媒体への浸透性は高く、表面張力が高い程インクの記録媒体への浸透性は低い。本実施形態では、高浸透インクは、３０（ｍＮ／ｍ）以上３７（ｍＮ／ｍ）以下のインクのことを言い、低浸透インクは、４０（ｍＮ／ｍ）以上６０（ｍＮ／ｍ）以下のインクのことを言うものとする。
【００１７】
また、インクタンク６は、記録ヘッド５Ｂｋ１、５Ｂｋ２、５Ｂｋ３、５Ｍ、５Ｙ、５Ｃのそれぞれに対応するインクを供給するためのインクを貯蔵し、６つのインクタンク６Ｂｋ１、６Ｂｋ２、６Ｂｋ３、６Ｍ、６Ｙ、６Ｃを有している。この記録ヘッドとインクタンクは、一体的または分離可能にヘッドカートリッジを構成し、そのヘッドカートリッジがキャリッジ９に着脱可能に搭載される。記録ヘッド５とインクタンク６は、ヘッドカートリッジを構成せずに、別々にキャリッジあるいはインクジェット記録装置に搭載されるものであってもよい。キャリッジ（記録ヘッド移動手段）９は、記録ヘッド５を搭載して主走査方向に往復移動させることで記録ヘッド５に走査を行わせることが可能である。
【００１８】
インクタンク６から供給されるインクは、一旦記録ヘッド５内部のインク流路に貯留される。記録ヘッド５の内部では、インク流路の先端に形成された吐出口にてメニスカスが形成されることにより、インクが記録ヘッド５内に安定に保持される。インク流路内のそれぞれには、発熱素子（電気熱変換体）が備えられている。配線を通して発熱素子に通電させて、その発熱素子から熱エネルギーを発生させることにより、インク流路内のインクが加熱されて膜沸騰により発泡する。このときの発泡エネルギーによって吐出口からインク滴が吐出される。なお、本実施形態の記録ヘッドは発熱素子により膜沸騰を発生させて発泡させインク滴を吐出する方式としたが、本発明はこれに限定されない。圧電素子を変形させ、これによって記録ヘッド内部の液体を吐出する形式の記録ヘッドが記録装置に適用されても良く、また、他の形式の記録ヘッドが本発明の記録装置に適用されても良い。
【００１９】
キャリッジ９には、センサ（濃度検出手段）８が取り付けられている。センサ８は、記録ヘッド５により記録媒体に記録された記録画像を光学的に読み取るセンサである。センサ８は、記録画像を読み取り、読み取った記録画像の濃度を検出することが可能である。
【００２０】
記録ヘッド５を搭載したキャリッジ９は、ベルト４を介してキャリッジモーター２３により主走査方向（図中矢印Ｘ方向）に往復移動する。また、記録媒体１は、搬送ローラ３によって、主走査方向と交差（本例の場合は、直交）する副走査方向（図中矢印Ｙ方向）に搬送される。キャリッジを移動しながら記録ヘッド５からインクを吐出される記録走査と、記録媒体１の搬送動作とを繰り返して、記録媒体１に画像を形成する。また、本実施形態では、インクジェット記録装置２００は、同一の記録領域に対して複数回に亘ってインクを吐出することで記録画像を形成することも可能である。
【００２１】
キャップ７は、６つの記録ヘッド夫々の吐出口が形成された吐出口面をキャップするもので、６つのキャップ７Ｂｋ１、７Ｂｋ２、７Ｂｋ３、７Ｍ、７Ｙ、７Ｃを有する。記録ヘッド５およびインクタンク６を搭載したキャリッジは、記録を行わないときには、キャップ７のあるホームポジションに戻る。また、キャリッジがホームポジションで待機してから一定時間に達した場合には、記録ヘッド５の吐出口面が乾燥しないよう、記録ヘッド５の吐出口面にキャップ７を当接するキャッピング動作を行う。なお、これらの記録ヘッドやインクタンクを個別的に言及する場合には、夫々に付された参照番号を用いるが、包括的に言及する場合には総称的な参照番号として、記録ヘッドには「５」、インクタンクには「６」、キャップには「７」を用いる。
【００２２】
図２に、本実施形態のインクジェット記録装置２００及びインクジェット記録装置２００に接続されたホスト装置１００を含めた記録システムの制御構成についてのブロック図を示す。
【００２３】
図２に示されるように、本実施形態の記録システムでは、ホスト装置１００とインクジェット記録装置２００とが互いに接続されている。ホスト装置１００は、情報処理装置としての機能を有するパーソナルコンピュータやデジタルカメラなどを用いることができ、インクジェット記録装置（プリンタ）２００に接続される装置である。このホスト装置１００は、ＣＰＵ１０、メモリ１１、外部記憶部１３、キーボードやマウス等の入力部１２、プリンタ２００との通信を行うためのインターフェイス１４を備えている。ユーザーは、メモリ１１に格納されているプログラム（アプリケーション）を実行してインクジェット記録装置２００から出力する画像データを作成することが可能である。ＣＰＵ１０は、メモリ１１に格納されたプログラムに従って、種々の処理を実行するものであり、ユーザーにより作成されたり、撮影された画像データに対して色処理や量子化処理等の画像処理などを実行する。画像処理を施された記録データは、インターフェイスを介して接続されているインクジェット記録装置２００に送信される。
【００２４】
また、インクジェット記録装置２００は、マイクロプロセッサ等のＣＰＵ２０ａ、ＣＰＵ２０ａのワークエリアとして使用されると共に記録データやレジ調整値などの各種データの保管等を行うＲＡＭ２０ｂを備える制御部２０を有している。制御部２０は、ＣＰＵ２０ａの制御プログラムや各種データを格納しているＲＯＭ２０ｃも備えている。さらに、インクジェット記録装置２００は、インターフェイス２１、操作パネル２２、ドライバ２７、２８を備えている。ドライバ２７は、キャリッジ駆動用のモータ２３、給紙ローラ駆動用のモータ２４、第１搬送ローラ対駆動用のモータ２７、第２搬送ローラ対駆動用のモータ２６、それぞれのモータを駆動制御し、ドライバ２８は記録ヘッド７を駆動制御する。ホスト装置１００から送信され、インクジェット記録装置２００のインターフェイス２１を介して受信した記録データは、制御部２０のＲＡＭ２０ｂに格納される。ＲＡＭ２０ｂに格納された記録データにしたがって、制御部２０は、各モータ２３〜２６を駆動させるためのＯＮ、ＯＦＦ信号をドライバ２７に、吐出信号等をドライバ２８にそれぞれ出力し、記録媒体に画像を形成する。
【００２５】
（記録媒体の浸透特性について）
図３（ａ）に、インクによる記録媒体への浸透性の比較的高い高浸透性の記録媒体にインクが浸透していく過程を示す。図３（ａ）は、高浸透性の記録媒体上にインク滴を吐出した際のインク滴及び記録媒体について示した模式的な断面図である。
【００２６】
Ａ１は、複数のインク滴同士が記録媒体における記録面上で干渉しないように十分離れた位置に着弾したときのインク滴及び記録媒体の断面について示している。また、Ａ２には、Ａ１の状態で吐出されたインク滴が記録媒体内部に浸透したときのそれぞれのインク滴及び記録媒体の断面について示している。Ａ１の状態では、図３（ａ）に示されるように、隣接するインク滴同士の間隔が十分に取られているので、記録媒体上にインク滴が着弾した際に、そのインク滴同士は干渉せずに図中の矢印方向に浸透していく。記録媒体内部に浸透するインク滴は、記録媒体断面における横方向と深さ方向に対して同様に広がっていき、Ａ２に示されるように、記録媒体上に吐出されたインク滴の分布が着弾位置を中心とした半球状になる。このとき、浸透が終わる頃に、ドット同士が接触することもあるが、それによって浸透の速度や深さが影響されるほどではない。
【００２７】
Ｂ１には、Ａ１の状態よりも隣接するインク滴同士の間隔が狭く、Ａ１よりも単位面積当たりに多くのインク滴が吐出されたときのインク滴及び記録媒体の断面について示している。また、Ｂ２には、Ｂ１の状態で吐出されたインク滴が記録媒体内部に浸透していく間のそれぞれのインク滴及び記録媒体の断面について示している。また、Ｂ３には、Ｂ１の状態で吐出されたインク滴が記録媒体内部に浸透し、浸透が終わったときのそれぞれのインク滴及び記録媒体の断面について示している。
【００２８】
図３（ａ）のＢ１に示されるように、単位面積当たりのインク付与量が多くなると、インク滴が記録媒体上に吐出された後に、インク滴が記録媒体内部に浸透していく過程で、お互いのインク滴同士が浸透動作の早い段階で干渉する。その結果、記録媒体内部へのインクの浸透の過程でＢ２に示されるように、局所的にインクの分布の多い領域が存在し、インクの分布に疎密が生じる場合がある。このとき、一旦インク滴が記録媒体の内部に浸透した後に、隣接するインク滴同士が記録媒体内部で干渉し、インク滴は、記録媒体の面方向に対してそれ以上広がることができなくなる。インク滴が面方向に浸透することができないので、深さ方向に対して浸透していくことになる。従って、インク滴は、その部分からさらに矢印Ｄ方向の深さ方向に浸透力及び速度が増し、記録媒体のより深い部分まで浸透していく。その結果、Ｂ３に示されるように、インクは、深さ方向に大きく浸透した分布になる。
【００２９】
つまり、一回の記録において、単位面積当たりのインク付与量がある所定値を超えると、所定値以下のインク付与量のときの浸透よりも浸透性がさらに増し、インクはより深くまで浸透することになる。普通紙の場合、この単位面積当たりのインク付与量についての所定値は記録媒体ごとに異なる。浸透性の高い記録媒体では記録デューティ（記録比率）が３０％程で隣接するインク滴同士が干渉し始めるものもある。また、浸透性の低い記録媒体では、記録デューティが１００％程でインク滴同士の干渉が発生する。
【００３０】
また、インクの種類によってもインク付与量についての所定値は同様に変化し、通常、インク付与量についての所定値は、３０％〜１００％の記録デューティの範囲にある。記録デューティが高くなればなるほどインク滴同士が接触する量が多くなり、そこから深さ方向への浸透性が増していくことが実験的にわかった。
【００３１】
また、この現象はどの普通紙においても発生し、それぞれの記録媒体の有する本来の浸透特性により異なってくる。また、図３（ａ）には、記録デューティが小さく隣接するインク滴同士の間隔が十分に取られたＡ２の状態での浸透深さｄ１と、記録デューティが大きく隣接するインク滴同士の間隔の小さいＢ３の状態での浸透深さｄ２との差ａが示されている。
【００３２】
図３（ａ）は、浸透特性の比較的高い記録媒体における浸透の挙動について示しているので、図中のａの値は、比較的大きくなる。これは、単位面積当たりのインクの打ち込み量が増すことで、深さ方向への浸透速度及び浸透深さが増しているためだと考えられる。また、これらの浸透速度及び浸透深さについては記録媒体の浸透特性によりその量が変化すると考えられる。
【００３３】
ここで、記録デューティは、記録領域の面積に対するインクの打ち込まれる領域の面積の割合のことを言うものとする。例えば、記録領域にインクが打ち込まれていない状態を０％の記録デューティとし、全ての領域に対してインクを打ち込んだ状態のベタ画像を１００％の記録デューティとする。
【００３４】
図３（ｂ）に、インクによる記録媒体への浸透性の比較的低い記録媒体におけるインクの浸透挙動を示す。図３（ｂ）は、低浸透性の記録媒体上にインク滴を吐出した際のインク滴及び記録媒体について示した模式的な断面図である。
【００３５】
図３（ｂ）のＡ１、Ａ２は、低浸透性の記録媒体上にインク滴を低い記録デューティによって打ち込んだ際の、記録媒体へのインクの浸透について示したインク滴及び記録媒体の模式的な断面図である。また、図３（ｂ）のＢ１、Ｂ２、Ｂ３は、低浸透性の記録媒体上にインク滴を高い記録デューティによって打ち込んだ際の、記録媒体へのインクの浸透について示したインク滴及び記録媒体の模式的な断面図である。また、記録デューティの小さいＡ１の状態での浸透深さｄ１’と、記録デューティの大きいＢ３の状態での浸透深さｄ２’との差ａ’が示されている。
【００３６】
図３（ｂ）のＡ１では、図３（ａ）のＡ１と同様に着弾したインクが矢印方向に浸透していくが、ここでは浸透特性が比較的低いために、浸透の深さは比較的浅めである。また、記録面の面方向へのインク滴の広がりであるドットの広がりも小さくなる。また、記録デューティが増したときの図３（ｂ）のＢ２、Ｂ３では、浸透性が低いのでインク滴同士の干渉は図３（ａ）のＢ２、Ｂ３と比べて比較的少なく、深さ方向への浸透も遅い。そのため、低浸透性の記録媒体における浸透の深さの差ａ’は、図３（ａ）に示される高浸透性の記録媒体におけるａよりも小さくなる。このように、低浸透性の記録媒体では、記録デューティの低い記録によるインクと、記録デューティの高い記録によるインクとの間の浸透深さの差が比較的小さい。
【００３７】
インクを記録媒体上に打ち込んだ際の記録媒体内部へのインク滴の浸透性は、記録媒体上に記録された記録画像における画像の濃度に関係する。同じ量のインクを打ち込んだとしても、記録媒体内部への浸透性が大きければ、記録媒体内部に入り込むことで視認されないインクの量が増加し、画像の濃度は低くなる。逆に、記録媒体の内部への浸透性が小さければ、浸透しないインクは記録媒体の表面で視認され、画像の濃度が高くなる。従って、インクが記録媒体に浸透した結果、低デューティによる記録と高デューティによる記録との間の浸透性に差がある場合には、この差が画像の濃度差になって視認される場合がある。図３（ａ）に示されるインクの浸透深さの差ａは、図３（ｂ）に示されるインクの浸透深さの差ａ’に比べて大きい。そのため、図３（ａ）に示される高浸透性の記録媒体では、低デューティによる記録と高デューティによる記録との間の浸透性の差ａが比較的大きいので、このことによる記録画像の濃度差が比較的視認され易い。一方、図３（ｂ）に示される低浸透性の記録媒体においては、低デューティによる記録と高デューティによる記録との間の浸透性の差ａ’が比較的小さいので、記録画像の濃度差は、比較的認識され難い。
【００３８】
次に、パス数を変えたときのインクによる記録媒体内部への浸透について説明する。ここで、同一の記録領域について走査を行う回数のことをパス数と言うものとする。
【００３９】
同じ記録デューティによる画像であっても、記録の際のパス数が異なれば、記録媒体内部へのインクの浸透が異なり、それに伴い画像の濃度が異なる場合がある。
【００４０】
図３（ａ）のＣ１、Ｃ２、Ｃ３に高浸透性の記録媒体に２回の走査によってインク滴を打ち込んだときの浸透について示し、図３（ｂ）のＣ１、Ｃ２、Ｃ３に低浸透性の記録媒体に２回の走査によってインク滴を打ち込んだときの浸透について示している。図３（ａ）、（ｂ）のいずれにおいても、Ｃ１は、２パス記録のうちの１パス目に打ち込まれたインク滴と記録媒体についての模式的な断面図を示している。また、Ｃ２は、２パス記録のうちの２パス目にインク滴を打ち込んだときのインク滴と記録媒体についての模式的な断面図を示している。また、Ｃ３は、２パス記録によるインクの打ち込みが行われた後の、インクの浸透する記録媒体内部についての模式的な断面図を示している。
【００４１】
図３（ａ）及び図３（ｂ）のいずれにおいても、Ｃ１では、１回の走査当たりのインクの打ち込み量がＡ１と同様となる。そのため、Ａ１と同様に、記録媒体に向かって打ち込まれたインク滴が着弾すると、そのインク滴同士がほとんど干渉せず矢印方向に浸透する。または、浸透挙動の終わり頃に干渉することもあるが、そのことによる影響は小さい。
【００４２】
また、次いでＣ２では、次の２パス目のインク滴の吐出で、それぞれのインク滴が先に打ち込まれているインク滴の間に着弾する。このときには、先に着弾したインクは、ほとんど浸透挙動が終了している状態になっているので、１パス目のインクの浸透と同様にインクは記録媒体の内部へ浸透していく。
【００４３】
そのため、図３（ａ）、（ｂ）のいずれにおいても、Ｃ３では、図３（ａ）、（ｂ）の両方のＢ２のように、過剰なインクが局所的に存在することによるインク溜まりが形成されず、そこで浸透を増進することなく定着が行われる。このように、パス数を多くすることによって１回のパス当たりのインクの打ち込み量を減少させることができるので、インクが深さ方向に過度に浸透してしまうことを抑えることができる。そのため、高浸透性の記録媒体であってもインクの浸透深さが過大に深くなることが抑えられ、記録媒体の浸透性の違いによって記録画像の濃度に差が生じることを抑えることができる。つまり、パス数を多くした記録では、デューティを高くした記録を行っても、そのことによる記録媒体内部への浸透が小さく、そのことによる記録画像の濃度に違いが生じ難い。
【００４４】
これらの現象はどの普通紙においても発生し、記録媒体の有する本来の浸透特性により多少異なってくる。これらの現象を本願発明者は見いだした。
【００４５】
表１は、普通紙の記録媒体ごとの標準画像における１パス記録によって記録した画像と２パス記録によって記録した画像の濃度及びそれらの差分値を示している。ここで言う標準画像とは、１２００ｄｐｉの格子に１ドットずつすべてに配置した状態である１００％の記録デューティ画像のことである。
【００４６】
【表１】
2014141026.tif 000003
【００４７】
使用される記録媒体は、
記録媒体Ａ:  キヤノン製  ＰＢ  ＰＡＰＥＲ  ＧＦ−５００
記録媒体Ｂ:  キヤノン製  Ｓｔａｎｄａｒｄ  Ｐｌａｉｎ  Ｐａｐｅｒ  ６４ｇ  （ＬＦＭ−ＰＰＳ）
記録媒体Ｃ:  日本ＯＣＥ社製  ＬＰＬ−３  用紙
記録媒体Ｄ:  リコー社製  ＲＩＣＯＰＹ  ＰＰＣ用紙  ＴＹＰＥ−６００  
記録媒体Ｅ:  キヤノン製  Ｕｎｉｖｅｒｓａｌ  Ｂｏｎｄ  Ｐａｐｅｒ  
記録媒体Ｆ:  キヤノン製  Ｓｔａｎｄａｒｄ  Ｐａｐｅｒ  ８０ｇ  
を使用した。
【００４８】
この結果から、記録媒体Ａ、Ｂ、Ｃは、１パスと２パスとの間の濃度差がほとんどないことがわかる。１００％の高デューティによる記録が行われ、１パスから２パスと、走査の回数を増加させても、濃度差が小さいことから、これらの記録媒体は、図３（ｂ）を用いて説明したように、ａ’の値が小さい状態の記録媒体であることがわかる。つまり、これらの記録媒体は、浸透特性の比較的低い記録媒体であると分類することができる。
【００４９】
また一方、記録媒体Ｄ、Ｅ、Ｆは、１パスと２パスの画像の濃度差が比較的大きくなっていることがわかる。従って、これらの記録媒体では、１パスから２パスと、走査の回数を増加させたときに、画像の濃度差が大きくなっていることから、１パスの記録で打ち込まれたインクが記録媒体内部へ深く浸透し、記録媒体への浸透が比較的高くなっていることになる。そのため、図３（ａ）を用いて説明したように、これらの記録媒体は、ａの値が比較的大きい状態の記録媒体であることがわかる。つまり、これらの記録媒体は、浸透特性の比較的高い記録媒体であると分類することができる。
【００５０】
このように、比較的高い記録デューティによって記録を行う際に、走査回数の異なる複数の画像について記録を行い、これらの画像の濃度を比較することにより、浸透性についての判断を行うことができる。画像の濃度差が大きいときには、その記録媒体は浸透性が高いと判断し、画像の濃度差が小さいときには、その記録媒体は浸透性が低いと判断することができる。
【００５１】
（濃度ムラの発生について）
高浸透性の記録媒体であっても、低浸透性の記録媒体であっても、記録条件によっては、記録画像に濃度ムラが生じる可能性がある。まず、低浸透性の記録媒体に記録を行った場合に生じる記録画像の濃度ムラについて説明する。
【００５２】
図４は、浸透特性の比較的低い記録媒体におけるインクの浸透による濃度ムラの発生について説明するためのインク滴及び記録媒体についての模式的な断面図である。Ｄ１は記録媒体にインクが着弾したときを示しており、Ｄ２はインクが記録媒体に浸透しているときを示しており、Ｄ３は記録媒体内部へのインクの浸透が終了したときを示している。
【００５３】
Ｄ１に示されるように、低浸透性の記録媒体に記録を行ったところ、記録媒体にインクが着弾し、浸透していく過程で、記録媒体上に顔料分布の疎密が生じてしまう。これにはいくつか理由はあるものの、一つには、マクロ的に見ると全体的に浸透特性が低い記録媒体であっても、ミクロ的には浸透特性の比較的高い箇所が存在することが考えられる。このときの領域ごとの浸透速度の差により、顔料の被覆され難い場所や被覆され易い場所の混在が発生し、これらの間の濃度差により濃度ムラが発生する。全体的に画像濃度が高めの画像を記録したときには、Ｄ３に示されるように濃度の低い場所についての濃度ムラが目立ち、白く抜けた様なムラが発生すると考えられている。
【００５４】
この場合、濃度ムラを抑制するには、顔料分布が粗い箇所について、顔料を追加して打ち込むことで、白くなった濃度ムラの部分を減少させれば良い。そのため、図４のＥ１、Ｅ２、Ｅ３に示されるように、濃度ムラの生じる部分について、異なる走査でインクを新たに打ち込み、インクの打ち込み量を増加させている。図４のＥ１は記録媒体にインクが着弾したときを示しており、Ｅ２はインクが記録媒体に浸透しているときを示しており、Ｅ３は記録媒体内部へのインクの浸透が終了したときを示している。このように、濃度ムラの生じる箇所で単位面積当たりのインク付与量を増加させることで、Ｅ３に示されるように、濃度ムラの発生を抑制することができる。
【００５５】
次に、高浸透性の記録媒体に記録を行った場合に生じる記録画像の濃度ムラについて説明する。図５は、浸透特性の比較的高い記録媒体におけるインクの浸透による濃度ムラの発生について説明するためのインク滴及び記録媒体についての模式的な断面図である。
【００５６】
図５のＦ１は記録媒体にインクが着弾したときを示しており、Ｆ２はインクが記録媒体に浸透しているときを示しており、Ｆ３は記録媒体内部へのインクの浸透が終了したときを示している。
【００５７】
Ｆ１に示されるように、記録媒体にインクが着弾したときには、記録媒体上を顔料が被覆していくが、ここで用いられている記録媒体の浸透特性が高いために、記録媒体の内部で深さ方向にインクによる浸透が進む。インクによる記録媒体の内部への浸透が進んでいくので、視認されるインクの量が減少し、記録画像における単位面積当たりの顔料濃度は小さくなる。このとき、隣接するインク滴同士が干渉し、インクが局所的に多く存在する箇所が発生する。従って、全体的には濃度が低くなるが、局所的に濃度の高い領域が存在することになり、記録画像の濃度にムラが生じる。
【００５８】
この場合、濃度ムラを抑制するには、顔料分布が密な箇所についてインクの打ち込み量を減少させれば良い。このように、画像における濃度ムラの生じる部分について、インクの打ち込み量を減少させる形態について、図５のＧ１、Ｇ２、Ｇ３に示す。図５のＧ１は記録媒体にインクが着弾したときを示しており、Ｇ２はインクが記録媒体に浸透しているときを示しており、Ｇ３は記録媒体内部へのインクの浸透が終了したときを示している。図５のＧ１に示されるように、インクの打ち込み量を減少させることで、Ｇ２に示されるように、隣接するインク同士で干渉が生じることを抑えることができる。これにより、Ｇ３に示されるように、濃度ムラの発生が抑制され、品質の向上された記録画像を得ることができる。
【００５９】
（濃度ムラの抑制について）
表２に、各種の記録媒体について、記録媒体ごとに、各種の記録条件によって記録を行った場合の濃度ムラについて目視で評価した結果を示す。
【００６０】
【表２】
2014141026.tif 000004
【００６１】
表１における１パス記録による画像と２パス記録による画像との間の濃度差により、記録媒体Ａ、Ｂ、Ｃが低浸透性の記録媒体であり、記録媒体Ｄ、Ｅ、Ｆが高浸透性の記録媒体であることがわかっている。
【００６２】
表２に示されるように、記録媒体Ａ、Ｂ、Ｃにおいては、基準画像に対して、記録デューティを増加させることによって濃度ムラが低減されている。また、記録媒体Ｄ、Ｅ、Ｆにおいては、基準画像に対して、記録デューティを減少させることによって濃度ムラが低減されている。
【００６３】
これは、記録媒体Ａ、Ｂ、Ｃは、比較的浸透性の低い低吸収記録媒体であることから、図４のＤ３に示されように、基準画像では、画像に白い濃度ムラが生じることに起因している。記録媒体Ａ、Ｂ、Ｃでは、白い濃度ムラについて、記録デューティを増加させている。これにより、顔料の被覆され難い部分に対しても十分にインクを打ち込むことで十分にインクを定着させ、記録画像における濃度ムラの発生を抑制している。
【００６４】
また、記録媒体Ｄ、Ｅ、Ｆは、比較的浸透性の高い高吸収記録媒体であることから、図５のＦ３に示されるように、基準画像では、画像に濃度の濃い部分の濃度ムラが生じることに起因している。高浸透性の記録媒体では、インクが着弾して浸透していく過程で深く浸透していくので、全体的に濃度の低い画像となる。この記録画像において、インク滴によって記録された部分のうち、一部の記録画像で、インク滴同士の干渉によって、部分的に浸透が浅いところで留まる顔料が発生する。
【００６５】
記録媒体Ｄ、Ｅ、Ｆでは、濃度の濃い部分の濃度ムラについて、記録デューティを低減させている。これにより、隣接するインク滴同士が干渉することが抑えられ、比較的浅い部分で留まる顔料を減らすことができ、記録画像に濃度ムラが発生することを抑制している。
【００６６】
また、すべての記録媒体において、記録の際のパス数を増加させることで、濃度ムラの発生が抑制される。
【００６７】
図６に、本実施形態における記録動作のフローチャートを示す。ユーザーがロール紙、もしくはカット紙をインクジェット記録装置２００の本体にセットする給紙時や、ユーザーによる実行の指示によって記録動作が開始される。ここでは、記録媒体が高浸透性であるかどうかを判断し、高浸透性の記録媒体に記録を行う場合には、濃度ムラが生じないように記録の行われる記録動作について説明する。
【００６８】
記録動作が実行されると、記録媒体上に基準画像として１００％の記録デューティによる画像が記録される。記録デューティは、１２００ｄｐｉの格子に１ドットずつすべて配置した状態を１００％とする。このとき、記録走査回数（パス数）を１回（第１の回数）及び２回（第２の回数）とした、２つの基準画像１、２（第１の画像、第２の画像）を記録媒体に記録する（Ｓ３０１）。ここでは、２つの基準画像を形成する際に、同一の記録デューティ（単位面積当たりのインク打ち込み量）によって記録媒体に画像が形成される。記録された２つの基準画像１、２をセンサ８によって読み取る（第１の画像濃度検出工程、第２の画像濃度検出工程）（Ｓ３０２）。
【００６９】
このときにセンサ８によって読み取られた基準画像１、２の濃度についての信号を比較し、濃度についての差分値が検出される（濃度差検出工程）。検出された濃度についての差分値が、基準値（第１の閾値）に対して大きいかどうかの判断が行われる（Ｓ３０３）。このように、基準画像１、２の画像濃度の濃度差が検出され、濃度差に基づいて記録媒体へのインクの浸透性が判断される（浸透性判断工程）。ここでは、制御部２０が、基準画像１、２についての画像濃度の濃度差に基づいて記録媒体へのインクの浸透性を判断する浸透性判断手段として機能する。
【００７０】
濃度の差分値が基準値よりも大きいと判断された場合には、基準画像を記録した記録媒体は、浸透特性が高い記録媒体であると判断する。このときに用いられている記録媒体は浸透性が比較的高いので、仮に、高い記録デューティによって記録が行われた場合には、記録画像に濃度ムラが生じる可能性がある。従って、その記録媒体に記録を行う場合には、ある程度低くした記録デューティによって記録の行われる必要がある。そのため、本実施形態では、記録デューティを、所定の記録デューティ（第２の閾値）よりも低くなるように、記録制御が行われる（Ｓ３０４）。このときの所定の記録デューティは、高浸透性の記録媒体に対して記録を行ったきに濃度ムラの生じないような記録デューティであれば良い。
【００７１】
また、差分値が基準値としての第１の閾値以下であると判断したら、浸透特性が低い記録媒体であると判断し、濃度ムラを低減させるために記録デューティを、所定の記録デューティ（第３の閾値）よりも高くなるように、記録制御が行われる（Ｓ３０５）。このときの所定の記録デューティは、低浸透性の記録媒体に対して記録を行ったときに濃度ムラの生じないような記録デューティであれば良い。
【００７２】
このように、記録媒体の浸透性に基づいて、記録ヘッドによってインクを吐出して画像を形成する際の記録デューティが制御される（インク打ち込み量制御工程）。このとき、本実施形態では、制御部２０が、記録を行う際の記録デューティを制御する記録デューティ制御手段（インク打ち込み量制御手段）として機能する。
【００７３】
記録媒体に記録される基準画像は、ｎパスとｍパス（ｎ≠ｍの正の整数）との走査のように、パス数の異なる複数種類の画像が用いられれば良い。このとき、少なくとも一方の走査が、１パスであると、なお好ましい。
【００７４】
また、本実施形態では、基準画像を１パスによる記録画像と２パスによる記録画像との２種類の基準画像を用いる形態について説明したが、本発明はこれに限定されない。基準画像を形成する際のパス数の種類を増やして、３以上の複数の基準画像が、それぞれ異なるパスで記録されることとしても良い。記録媒体におけるインクの浸透性によっては、２パス画像によって記録を行ったとしても、記録画像に濃度ムラが発生することも考えられる。その場合には、３パス、４パスと、複数のパス数によって基準画像を形成することにより、記録画像に濃度ムラが発生しないときのパス数を検出することができる。記録画像に濃度ムラが発生しないときのパス数が検出されると、そのときの記録画像を基準画像とし、１パスによる基準画像と、そのパス数による基準画像とのそれぞれの濃度が用いられる。これにより、記録を行う際の記録デューティについてより適切に制御を行うことができる。また、少ない方のパス数による基準画像は、１パスによる記録画像に限定されない。２パス以上のパス数によって走査数の少ない方の基準画像が記録されても良い。
【００７５】
また、本実施形態では、センサ８によって記録された画像の濃度を検知することとしたが、本発明はこれに限定されない。画像の濃度の検知方式は、センサによる検知だけでなく、ユーザーに画像を判別させ、補正値をユーザーに入力させる形式であっても良い。
【００７６】
上記のように記録動作が行われるので、記録媒体の浸透性に応じた記録デューティによって記録を行うことができる。特に、本実施形態の記録動作では、記録媒体におけるインクの浸透性に応じて、濃度ムラが生じないような記録デューティによって記録を行うことができる。従って、記録画像に濃度ムラが生じることが抑制され、記録によって得られる画像の品質を高く維持することができる。
【００７７】
（第２実施形態）
次に、本発明を実施するための第２実施形態について説明する。上記の第１実施形態と同様の構成の部分については説明を省略し、異なる部分のみ説明することとする。
【００７８】
第１実施形態においては、パス数を変えた基準画像の間で濃度が比較され、濃度の変化が大きいときには、その記録媒体は高浸透性の記録媒体であると判断され、濃度の変化が小さいときには、その記録媒体は低浸透性の記録媒体であると判断された。第２実施形態は、基準画像同士の間で濃度についての比較が行われる前に、基準画像に濃度ムラが生じているかどうかの検出が行われる点で第１実施形態と異なる。
【００７９】
図７は、第２実施形態における記録動作を行う際の制御フローについて示したフローチャートである。ユーザーによる記録動作の実行の指示が送信されると、その実行信号により、まず記録媒体上に基準画像として１００％の記録デューティによる画像が記録される。ここでは、記録デューティは、１２００ｄｐｉの格子に１ドットずつすべて配置した状態を１００％とする。
【００８０】
このとき、記録走査回数（パス数）を１回及び２回の、２つの基準画像を記録する（Ｓ４０１）。記録された２つの基準画像１、２をセンサ８により読み取る。その際に、基準画像１、２を複数の領域に分割し、その領域ごとにセンサ８による濃度についての読み取り値を検出し、検出された読み取り値を記憶領域に保存する（Ｓ４０２）。
【００８１】
次に、１回のパス数によって記録された基準画像１についての領域ごとの濃度の読み取り値のばらつきが算出される。このように、本実施形態では、記録ヘッド５によってインクが吐出されて形成された画像について、複数の領域でセンサ８によって濃度が検出され、複数の領域で検出された複数の濃度についてのばらつきが検出される。本実施形態では、制御部２０が、複数の領域で検出された複数の濃度についてのばらつきを検出するばらつき検出手段として機能する。基準画像１についての領域ごとの濃度のばらつきが検出されると、算出された基準画像１についての領域ごとの濃度のばらつきと、濃度のばらつきについての基準値１（第４の閾値）とが比較される（Ｓ４０３）。基準画像１の濃度についてのばらつきが、基準値１以下であるときには、基準画像１の画像濃度が安定している、つまり、濃度ムラの少ない状態であると判断される。このときには、濃度ムラが少なく、記録画像が良好な状態であるので、そのままの記録デューティによって記録が行われれば良く、記録デューティについての制御は行われない（Ｓ４０４）。
【００８２】
一方、基準画像１についての濃度の読み取り値のばらつきが、基準値１よりも大きいと判断されたときには、基準画像１に濃度ムラが生じていると判断される。このように、本実施形態では、検出された濃度のばらつきに基づいて、画像に濃度ムラが生じているかどうかの判断が行われる。本実施形態では、制御部２０が、画像に濃度ムラが生じているかどうかを判断する濃度ムラ判断手段として機能する。
【００８３】
画像に濃度ムラが生じていると判断されたときには、その濃度ムラが、高浸透性の記録媒体によって生じているか、低浸透性の記録媒体によって生じているかについての判断が行われる。ここでは、記録媒体の浸透性の判断のために、基準画像１の濃度の平均値と基準画像２の濃度の平均値との間の差分値を算出する（Ｓ４０５）。濃度の平均値同士の差分値が、所定の基準値２（第１の閾値）以下であるときには、その記録媒体は、浸透特性の比較的低い記録媒体であると判断される。そのため、記録が行われる際には、記録デューティを所定値の記録デューティよりも高くなるように記録動作が制御される（Ｓ４０６）。濃度の平均値同士の差分値が基準値２よりも大きいときには、その記録媒体は、浸透特性の比較的高い記録媒体であると判断される。そのため、記録が行われる際には、記録デューティを所定値の記録デューティより低くなるように記録動作が制御される（Ｓ４０７）。
【００８４】
上述のように記録を制御することにより、濃度ムラが生じているかどうかの検出が行われ、濃度ムラが生じているときには、記録媒体の浸透性に応じて濃度ムラの発生を抑制するように記録動作を行うことができる。これにより、記録画像の品質を良好に保つことができる。
【００８５】
なお、本明細書において、「記録」とは、文字、図形等有意の情報を形成する場合のみならず、有意無意を問わずに用いられる。また、人間が視覚で知覚し得るように顕在化したものであるか否かを問わず、広く記録媒体上に画像、模様、パターン等を形成する、または記録媒体の加工を行う場合も表すものとする。
【００８６】
また、「記録装置」とは、プリンタ、プリンタ複合機、複写機、ファクシミリ装置などのプリント機能を有する装置、ならびにインクジェット技術を用いて物品の製造を行なう製造装置を含む。
【００８７】
また、「記録媒体」とは、一般的な記録装置で用いられる紙のみならず、広く、布、プラスチック・フィルム、金属板、ガラス、セラミックス、木材、皮革等、インクを受容可能なものを表すものとする。
【００８８】
さらに、「インク」（「液体」と言う場合もある）とは、上記「記録」の定義と同様広く解釈されるべきものである。記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【符号の説明】
【００８９】
５  記録ヘッド
８  センサ
９  キャリッジ
２００  インクジェット記録装置
【図１】
2014141026.tif 000005
【図２】
2014141026.tif 000006
【図３】
2014141026.tif 000007
【図４】
2014141026.tif 000008
【図５】
2014141026.tif 000009
【図６】
2014141026.tif 000010
【図７】
2014141026.tif 000011